(57)【要約】【課題】澱粉系スラリー噴霧乾燥に適していない多くの材料が存在する。【解決手段】噴霧乾燥可能液体組成物を乾燥させて噴霧乾燥粉末にする噴霧乾燥プロセス及び装置であって、噴霧乾燥可能液体組成物が担体を含まない、噴霧乾燥プロセス及び装置を記載する。噴霧乾燥可能液体組成物は、噴霧乾燥可能液体組成物の総重量に基づいて、８０重量％を超えない固体濃度で処理され、噴霧乾燥可能液体組成物は、霧化されて、噴霧乾燥チャンバ内への噴霧乾燥可能液体組成物の液体粒子の霧状噴霧を発生させ、霧状噴霧は、噴霧乾燥チャンバ内に１００℃を超えない温度で流し込まれる乾燥流体のストリームと接触して乾燥粉末を形成する。【選択図】図１
2021522465.tif 000002
【特許請求の範囲】
【請求項１】
噴霧乾燥可能液体組成物を乾燥させて噴霧乾燥粉末にする噴霧乾燥プロセスであって、
前記噴霧乾燥可能液体組成物が担体を含まず、
前記噴霧乾燥可能液体組成物の総重量に基づいて、８０重量％を超えない固体濃度の前記噴霧乾燥可能液体組成物を提供することと、
前記噴霧乾燥可能液体組成物を霧化して、噴霧乾燥チャンバ内への前記噴霧乾燥可能液体組成物の液体粒子の霧状噴霧を発生させることと、
前記噴霧乾燥チャンバを通って流れるように、１００℃を超えない温度での乾燥流体のストリームを前記噴霧乾燥チャンバ内に流し込んで、前記液体粒子の乾燥のために、前記噴霧乾燥チャンバ内の液体粒子の前記噴霧と接触させて、前記噴霧乾燥粉末を形成することと、
前記噴霧乾燥チャンバから、流出乾燥流体と前記噴霧乾燥チャンバ内の前記乾燥流体との接触によって乾燥させた前記噴霧乾燥粉末とを放出することと、
を含む、プロセス。
【請求項２】
前記噴霧乾燥可能液体組成物が、食品材料、飲料材料、香料材料、顔料材料、香味料材料、医薬品材料、治療材料、薬物材料、ホメオパシー材料、生物学的材料、プロバイオティクス材料、建築材料、製剤材料、並びに上述したもののうちの２種以上の異なる材料の混合物、ブレンド、複合物及び組合せからなる群から選択された、少なくとも１種の製品材料を含む、請求項１に記載のプロセス。
【請求項３】
前記噴霧乾燥可能液体組成物が、リンゴ果汁、茶、コーヒー、洋ナシ果汁、アミノ酸、果物のピューレ、ペクチン、ビーフブロス、ゼラチン、医薬品、ビートジュース、グレープ果汁、パイナップル果汁、β−シクロデキストラン、ライム果汁、スキムミルク、カラギーナン、液卵、砂糖、チーズホエー、ビール、低アルコールビール、野菜汁、鶏ガラスープ、マンゴー果汁、乳清タンパク質、柑橘系果汁、オレンジ果汁及び全乳からなる群から選択された少なくとも１種の製品材料を含む、請求項１に記載のプロセス。
【請求項４】
前記噴霧乾燥可能液体組成物がジュースを含む、請求項１に記載のプロセス。
【請求項５】
前記噴霧乾燥可能液体組成物が、アルコールスピリッツ、マッシュ混合物又はポットリカーを含む請求項１に記載のプロセス。
【請求項６】
前記噴霧乾燥可能液体組成物が、食料品若しくは飲料又はその前駆体を含む、請求項１に記載のプロセス。
【請求項７】
前記噴霧乾燥可能液体組成物がコーヒーを含む、請求項１に記載のプロセス。
【請求項８】
前記噴霧乾燥可能液体組成物が茶を含む、請求項１に記載のプロセス。
【請求項９】
前記噴霧乾燥チャンバ内に流し込まれる前記乾燥流体のストリームの前記温度が、１００℃、９９℃、９８℃、９５℃、９０℃、８５℃、８０℃、７５℃、７０℃、６５℃、６０℃、５５℃、５０℃、４５℃、４０℃、３０℃、２５℃、２２℃、２０℃、１８℃、１６℃、１５℃、１４℃、１３℃、１２℃、１１℃及び１０℃のうちの少なくとも１つ未満であり、前記温度が、前記噴霧乾燥可能液体組成物における前記液体の凍結点より高い、請求項１に記載のプロセス。
【請求項１０】
前記噴霧乾燥チャンバ内に流し込まれる前記乾燥流体のストリームの前記温度が、範囲の下限端点が、０℃、１℃、２℃、３℃、４℃、５℃、６℃、７℃、８℃、９℃、１０℃、１１℃、１２℃、１３℃、１４℃、１５℃、１６℃、１８℃、２０℃、２２℃及び２５℃のうちの任意の１つであり、範囲の上限端点が、前記範囲の下限端点より高く、１０℃、１１℃、１２℃、１３℃、１４℃、１５℃、１６℃、１８℃、２０℃、２２℃、２５℃、３０℃、４０℃、４５℃、５０℃、５５℃、６０℃、６５℃、７０℃、７５℃、８０℃、８５℃、９０℃、９５℃、９８℃、９９℃又は１００℃のうちの任意の１つである範囲内にある、請求項１に記載のプロセス。
【請求項１１】
前記噴霧乾燥チャンバ内に流し込まれる前記乾燥流体のストリームの前記温度が、１℃から９５℃、５℃から９０℃、１０℃から８０℃又は１５℃から６５℃の範囲である、請求項１に記載のプロセス。
【請求項１２】
前記噴霧乾燥チャンバ内に流し込まれる前記乾燥流体のストリームが、３５％、３０％、２５％、２０％、１５％、１２％、１０％、８％、６％、５％、４％、３％、２．５％、２％、１．８％、１．６％、１．５％、１．４％、１．３％、１．２％、１．１％、１．０％、０．９％、０．８％、０．７％、０．６％、０．５％、０．４％、０．３％、０．２％、０．１％、０．０５％、０．０２％又は０．０１％を超えない相対湿度を有する、請求項１に記載のプロセス。
【請求項１３】
前記噴霧乾燥チャンバ内に流し込まれる前記乾燥流体のストリームが、範囲の下限端点が１０−４％、１０−３％、１０−２％、１０−１％、１％、１．５％又は２％のうちの任意の１つであり、範囲の上限端点が、前記範囲の下限端点より高く、３５％、３０％、２０％、１５％、１２％、１０％、８％、６％、５％、４％、３％、２．５％、２％、１．８％、１．６％、１．５％、１．４％、１．３％、１．２％、１．１％、１．０％、０．９％、０．８％、０．７％、０．６％、０．５％、０．４％、０．３％、０．２％、０．１％、０．０５％、０．０２％、０．０１％又は０．０５％のうちの任意の１つである範囲内の相対湿度を有する、請求項１に記載のプロセス。
【請求項１４】
前記噴霧乾燥チャンバ内に流し込まれる前記乾燥流体のストリームが、１０−４％から３５％、１０−３％から１８％、０．００５から１７％、０．０１％から１５％、０．０１から５％、０．１から５％又は０．００１％から２％の範囲の相対湿度を有する、請求項１に記載のプロセス。
【請求項１５】
前記乾燥流体が、空気、酸素、酸素富化空気、窒素、ヘリウム、希ガス、二酸化炭素、一酸化炭素及び上述したもののうちの２種以上の組合せからなる群から選択されたガスを含む、請求項１に記載のプロセス。
【請求項１６】
前記噴霧乾燥可能液体組成物が、水、無機溶媒、有機溶媒、及びそれらの組合せからなるからなる群から選択された液体を含む、請求項１に記載のプロセス。
【請求項１７】
前記噴霧乾燥可能液体組成物が、５０ｍＰａ−ｓから２８，０００ｍＰａ−ｓの範囲の粘度を有する、請求項１に記載のプロセス。
【請求項１８】
前記噴霧乾燥可能液体組成物が、範囲の下限が、３２５、３４０、３５０、３７５、４００、４５０、５００、５５０、６００、６５０、７００、７５０、８００、８５０、９００、９５０及び１０００ｍＰａ−ｓのうちの任意の１つであり、範囲の上限が、前記下限より高く、４００、４５０、５００、５５０、６００、６５０、７００、７５０、８００、８５０、９００、９５０、１０００、２０００、３０００、４０００、５０００、６０００、７０００、８０００、９０００、１０，０００、１１，０００、１２，０００、１３，０００、１４，０００、１５，０００、１６，０００、１７，０００、１８，０００、１９，０００及び２０，０００ｍＰａ−ｓのうちの任意の１つである範囲内の粘度を有する、請求項１に記載のプロセス。
【請求項１９】
前記噴霧乾燥可能液体組成物が、５０から５０００ｍＰａ−ｓの範囲の粘度を有する、請求項１に記載のプロセス。
【請求項２０】
前記噴霧乾燥可能液体組成物が、前記噴霧乾燥可能液体組成物の総重量に基づき、４５重量％から７５重量％の範囲の固体濃度を有する、請求項１に記載のプロセス。
【請求項２１】
前記噴霧乾燥可能液体組成物が、前記噴霧乾燥可能液体組成物の総重量に基づき、５０重量％から７０重量％の範囲の固体濃度を有する請求項１に記載のプロセス。
【請求項２２】
前記噴霧乾燥チャンバ内の前記噴霧乾燥可能液体組成物の乾燥を促進するように、前記噴霧乾燥チャンバ内の複数の場所において局所乱流を発生させることをさらに含む、請求項１に記載のプロセス。
【請求項２３】
前記局所乱流が、二次乾燥流体を前記噴霧乾燥チャンバ内に注入することによって生成される、請求項２２に記載のプロセス。
【請求項２４】
前記噴霧乾燥可能液体組成物の電気流体力学的噴霧乾燥のために、前記噴霧乾燥可能液体組成物と液体粒子の前記霧状噴霧とのうちの少なくとも一方に電気流体力学的電荷を印加することをさらに含む、請求項１に記載のプロセス。
【請求項２５】
前記電気流体力学的電荷が０．２５から８０ｋＶの範囲である、請求項２４に記載のプロセス。
【請求項２６】
前記噴霧乾燥チャンバから放出される前記流出乾燥流体が、そこから固体を除去して固体低減乾燥流体を生成するように処理され、前記固体低減乾燥流体が、前記噴霧乾燥チャンバ内に流し込まれる前記乾燥流体のストリームにおける乾燥流体として再循環する、請求項１に記載のプロセス。
【請求項２７】
前記固体低減乾燥流体が、その温度を調整するようにさらに処理される、請求項２６に記載のプロセス。
【請求項２８】
前記固体低減乾燥流体が、その相対湿度を調整するようにさらに処理される、請求項２６に記載のプロセス。
【請求項２９】
前記噴霧乾燥チャンバから放出される前記噴霧乾燥粉末における液体の量が、前記噴霧乾燥粉末の総重量に基づいて、１０、９、８、７、６、５、４、３、２、１、０．５及び０．１ｗｔ．％の液体のうちの少なくとも１つより少ない、請求項１に記載のプロセス。
【請求項３０】
前記霧化が、回転噴霧器、遠心噴霧器、ネブライザ、超音波分散器、ノズル、又は上述したもののうちの２つ以上の組合せを用いて実施される、請求項１に記載のプロセス。
【請求項３１】
前記噴霧乾燥チャンバから放出される前記噴霧乾燥粉末が、８０μｍから１２０μｍの範囲のメジアン粒径を有する、請項１に記載のプロセス。
【請求項３２】
前記噴霧乾燥チャンバから放出される前記噴霧乾燥粉末が、前記粉末における粒子の少なくとも７５％が、少なくとも８０μｍの粒径を有する粒径分布を有する、請求項１に記載のプロセス。
【請求項３３】
前記噴霧乾燥チャンバから放出される前記噴霧乾燥粉末が、２２から４０ｌｂ／ｆｔ３（０．３５から０．６４ｇ／ｃｍ３）の範囲のバルク密度を有する、請求項１に記載のプロセス。
【請求項３４】
前記噴霧乾燥チャンバから放出される前記噴霧乾燥粉末の前記粒子の粒子空隙体積が、総粒子体積の１０％未満である、請求項１に記載のプロセス。
【請求項３５】
前記噴霧乾燥チャンバから放出される前記噴霧乾燥粉末が、８０μｍから１２０μｍの範囲の平均粒径を有する、請求項１に記載のプロセス。
【発明の詳細な説明】
【技術分野】
【０００１】
関連出願の相互参照
２０１８年４月２８日に出願された米国特許出願第１５／９６５，９１０号の米国特許法第１１９条の下での優先権をここに主張する。
【背景技術】
【０００２】
背景
開示の分野
本開示は、無担体組成物を噴霧乾燥させて噴霧乾燥粉末にする、低温噴霧乾燥に関し、感熱材料の処理に特に有用性がある。
【０００３】
関連技術の説明
噴霧乾燥は、１８００年代後期以来、基本的な材料処理操作として存在し、そのとき以来、継続的に改良されてきた。噴霧乾燥操作は、さまざまな特徴があり得るが、通常は、材料の液体組成物をチャンバ内に、チャンバを通って同時に流される乾燥流体と接触するように注入することを含む。液滴の形態の注入される湿潤材料は、乾燥流体のストリームと接触して、液体が液滴から乾燥流体ストリームに移るようにし、乾燥チャンバから放出される噴霧乾燥製品と、同様に乾燥チャンバから放出される乾燥流体流出物とをもたらす。
【０００４】
先行する噴霧乾燥操作では、乾燥粉末製品を製造するために、高温、例えば、１８０〜２００℃ほどの温度での気体として乾燥流体を提供することが、従来の慣例であった。乾燥流体は、従来、空気であり、噴霧乾燥させるべき材料は、乾燥可能液体形態で、例えば、原液材料として提供することができ、又は、材料は、噴霧乾燥プロセスの最後に噴霧乾燥製品が関連付けられる担体材料をさらに含むことができる、スラリー、懸濁液、乳濁液又は溶液形態の噴霧乾燥液体組成物における固体であり得る。さまざまな応用において、噴霧乾燥させるべき材料は、溶媒、例えば、水、アルコール又は他の適切な液体を含有するスラリーに、炭水化物、セルロース誘発体、蝋、ガム、タンパク質又は他の好適な材料等の担体材料とともに存在する。噴霧乾燥操作を行うために、ノズル、噴霧器等を使用して噴霧乾燥組成物が乾燥チャンバ内に注入され、乾燥チャンバ内に且つ乾燥チャンバを通って流される乾燥流体と接触するために微細な液滴の噴霧を形成する。
【０００５】
噴霧乾燥させた材料の液滴を迅速に加熱し、噴霧乾燥粉末を製造するために液滴から液体を揮発させるために、乾燥流体に対する１８０〜２００℃ほどの上述した高温レベルは、本技術分野において従来の慣例であった。しかしながら、こうした高温レベルにより、噴霧乾燥操作の適用範囲は、熱的に安定しているか、又は、噴霧乾燥操作の高温で激しく悪影響を受けない噴霧乾燥可能材料に限定される。広範囲の材料が、噴霧乾燥操作の高温領域に適応することができるが、（高温での製品材料の揮発を通して）材料が喪失し、及び／又は、噴霧乾燥操作中に高温にさらされる結果として物理的特性及び／又は性能特性が別の方法で劣化する。こうしたことに関して、従来の噴霧乾燥の慣例には、限界及び欠陥が認められた。
【０００６】
上述した状況に対して、ZoomEssence,Inc.の米国特許第８，９３９，３８８号、同第９，３３２，７７６号及び同第９，５５１，５２７号に開示されている低温噴霧乾燥装置及びプロセスは、澱粉担体に関する本技術分野における実質的な進歩を採用している。こうした特許に開示されているように、噴霧乾燥は、１００℃未満、及びいくつかの応用では周囲温度までさらに低下した乾燥流体の入口温度と、約３００ｍＰａ−ｓｅｃを上回る粘度を有する、澱粉担体、活性成分及び溶媒を含む噴霧乾燥スラリーの利用と、スラリーの５０重量％を超えないスラリー含水量と、乾燥システムに導入される乾燥流体の低湿度とを含む、噴霧乾燥条件で実施される。本技術の従来の慣例とは際立って異なる低温噴霧乾燥条件で行われる、こうした澱粉系スラリー噴霧乾燥操作により、従来の高温噴霧乾燥の慣例の高温条件によって本来は禁止であった無数の製品に対して、噴霧乾燥を利用することができる。
【０００７】
しかしながら、澱粉系スラリー噴霧乾燥に適していない多くの材料が存在する。
【発明の概要】
【課題を解決するための手段】
【０００８】
概要
本開示は、低温での無担体組成物の噴霧乾燥に関する。
【０００９】
本明細書の背景技術セクションにおいて考察したように、米国特許第８，９３９，３８８号、同第９，３３２，７７６号及び同第９，５５１，５２７号は、澱粉担体によって封入された噴霧乾燥活性成分を製造する、澱粉担体、活性成分及び溶媒を含むスラリーの噴霧乾燥を含む、当技術分野における実質的な進歩を具現化している。噴霧乾燥によって処理される澱粉担体スラリーは、噴霧乾燥可能な供給原料に実質的な量の澱粉を含む。
【００１０】
先験的に、担体が存在しない場合に実現可能であることが分かっている優れた特徴を有する噴霧乾燥粉末製品を実現するために、噴霧乾燥チャンバ内における流体力学的改善、又は噴霧乾燥チャンバ内における過度に長い滞留時間の提供なしには、対応する低温プロセスを有効に利用することができるということは明らかではなく、それは、活性成分が、粒子の形成において担体の存在によって支持されず、したがって、さらに高い溶媒最小化基準まで活性成分を乾燥させなければならないためである。
【００１１】
しかしながら、意外なことに且つ予期せずに、噴霧乾燥プロセスが、活性成分及び溶媒の無担体供給原料で実施され、例えば、空気、窒素、酸素、ヘリウム、アルゴン、二酸化炭素、又は他の好適なガス若しくはガス混合物であり得る乾燥流体が、１００℃を超えない乾燥流体温度Ｔ（℃）で噴霧乾燥チャンバに導入されて、上述した優れた特徴の噴霧乾燥粉末製品を実現する場合、低温噴霧乾燥を著しく有効な方法で実施することができることが分かった。
【００１２】
一態様では、本開示は、噴霧乾燥可能液体組成物を乾燥させて噴霧乾燥粉末にする噴霧乾燥プロセスであって、噴霧乾燥可能液体組成物は担体を含まず、
噴霧乾燥可能液体組成物の総重量に基づいて、８０重量％を超えない固体濃度の噴霧乾燥可能液体組成物を提供することと、
噴霧乾燥可能液体組成物を霧化して、噴霧乾燥チャンバ内への噴霧乾燥可能液体組成物の液体粒子の霧状噴霧を発生させることと、
噴霧乾燥チャンバを通って流れるように、１００℃を超えない温度での乾燥流体のストリームを噴霧乾燥チャンバ内に流し込んで、液体粒子の乾燥のために、噴霧乾燥チャンバ内の液体粒子の噴霧と接触させて、乾燥粉末を形成することと、
噴霧乾燥チャンバから、流出乾燥流体と噴霧乾燥チャンバ内の乾燥流体との接触によって乾燥させた乾燥粉末とを放出することと、
を含む、プロセスに関する。
【００１３】
別の態様では、本開示は、上述した無単体噴霧乾燥プロセスを実施するように構成及び配置された噴霧乾燥システムに関する。
【００１４】
本開示の他の態様、特徴及び実施形態は、後続する説明及び添付の特許請求の範囲からより十分に明らかとなろう。
【図面の簡単な説明】
【００１５】
図面の簡単な説明
【図１】本開示の一実施形態による噴霧乾燥プロセスシステムの概略表現である。
【発明を実施するための形態】
【００１６】
詳細な説明
本開示は、噴霧乾燥粉末を形成する、無担体噴霧乾燥可能液体組成物の低温（≦１００℃）噴霧乾燥に関する。
【００１７】
本明細書で用いる「担体」と言う用語は、液体及び噴霧乾燥させるべき製品を含む、噴霧乾燥可能液体組成物において、噴霧乾燥操作からもたらされる噴霧乾燥粉末において製品を担持し、少なくとも部分的に支持し又は少なくとも部分的に封入するために利用される、固体材料を指す。したがって担体は、噴霧乾燥粉末において、例えば、製品材料のための基材、支持体又は結合基質（associative matrix）として、製品材料に関連付けることができる。噴霧乾燥操作で使用される担体は、広くさまざまなタイプとすることができ、そうした担体として、例えば、上述した米国特許第８，９３９，３８８号、同第９，３３２，７７６号及び同第９，５５１，５２７号に開示されている澱粉担体を挙げることができる。より全体的には、以下の表１に列挙するもの等の担体が、所定の担体材料を例示する。
【００１８】
【表１】
2021522465.tif 000003
【００１９】
本明細書で用いる、噴霧乾燥可能液体組成物に関する「無担体」という用語は、内部に担体のない噴霧乾燥可能液体組成物を意味し、噴霧乾燥プロセスに関する「無担体」は、噴霧乾燥操作において担体なしに実施される噴霧乾燥プロセスを意味する。
【００２０】
一態様では、本開示は、噴霧乾燥可能液体組成物を乾燥させて噴霧乾燥粉末にする噴霧乾燥プロセスであって、噴霧乾燥可能液体組成物は担体を含まず、
噴霧乾燥可能液体組成物の総重量に基づいて、８０重量％を超えない固体濃度の噴霧乾燥可能液体組成物を提供することと、
噴霧乾燥可能液体組成物を霧化して、噴霧乾燥チャンバ内への噴霧乾燥可能液体組成物の液体粒子の霧状噴霧を発生させることと、
噴霧乾燥チャンバを通って流れるように、１００℃を超えない温度での乾燥流体のストリームを噴霧乾燥チャンバ内に流し込んで、液体粒子の乾燥のために、噴霧乾燥チャンバ内の液体粒子の噴霧と接触させて、乾燥粉末を形成することと、
噴霧乾燥チャンバから、流出乾燥流体と噴霧乾燥チャンバ内の乾燥流体との接触によって乾燥させた乾燥粉末とを放出することと、
を含む、プロセスに関する。
【００２１】
本開示の噴霧乾燥プロセスは、種々の製品材料のうちの任意のもの、例えば、食品材料、飲料材料、香料材料、顔料材料、香味料材料、医薬品材料、治療材料、薬物材料、ホメオパシー材料、生物学的材料、プロバイオティクス材料、建築材料、製剤材料とともに、上述したものうちの２種以上の異なる材料の混合物、ブレンド、複合物及び組合せからなる群から選択された少なくとも１つの製品材料を含有する無担体噴霧乾燥可能液体組成物で実施することができる。
【００２２】
噴霧乾燥液体組成物における所定の製品材料は、例えば、リンゴ果汁、茶、コーヒー、洋ナシ果汁、アミノ酸、果物のピューレ、ペクチン、ビーフブロス、ゼラチン、医薬品、ビートジュース、グレープ果汁、パイナップル果汁、β−シクロデキストラン、ライム果汁、スキムミルク、カラギーナン、液卵、砂糖、チーズホエー、ビール、低アルコールビール、野菜汁、鶏ガラスープ、マンゴー果汁、乳清タンパク質、柑橘系果汁、オレンジ果汁及び全乳からなる群から選択された少なくとも１種の製品材料を含むことができる。
【００２３】
具体的な実施形態では、噴霧乾燥可能液体組成物は、ジュースを含むことができる。他の実施形態では、噴霧乾燥可能液体組成物は、アルコールスピリッツ、マッシュ混合物又はポットリカーを含むことができる。さらに他の実施形態では、噴霧乾燥可能液体組成物は、食料品若しくは飲料又はその前駆体を含むことができる。さまざまな他の実施形態では、噴霧乾燥可能液体組成物はコーヒーを含むことができる。さらに他の実施形態では、噴霧乾燥可能液体組成物は茶を含むことができる。
【００２４】
本開示の広範な実施における無担体噴霧乾燥可能液体組成物は、製品材料及び液体に加えて、任意の追加の無担体成分を含むことができる。こうした追加の無担体成分としては、補助剤、賦形剤、界面活性剤、凝集阻害剤、固化防止剤、同時活性成分、湿潤剤、分散剤、乳化剤、安定剤、酸化防止剤、防腐剤、増孔剤（poor-forming agent）、硬化剤並びにこうしたタイプの２種以上の成分の混合物、ブレンド、複合物及び組合せを挙げることができる。
【００２５】
本開示の噴霧乾燥プロセス及び装置によって製造される噴霧乾燥粉末は、球形、回転楕円体、多角形、立方体、棒、繊維、らせん、樹状及び他の任意の空間形態を含む、任意の好適な形態学的且つ物理的形態とすることができ、噴霧乾燥粉末に適切である任意の好適な粒径分布とすることができる。
【００２６】
上で広範に指定したような本開示のプロセスは、１００℃を超えない温度での乾燥流体のストリームを、噴霧乾燥チャンバを通って流れるように噴霧乾燥チャンバ内に流し込んで、その中の液体粒子を乾燥させるためにその液体粒子の噴霧と接触して噴霧乾燥粉末を形成することを含む。こうしたプロセスの具体的な実施態様では、噴霧乾燥チャンバ内に流し込まれる乾燥流体のストリームの温度は、こうした最大温度制約内で広く変更することができることが理解されよう。例えば、噴霧乾燥チャンバ内に流し込まれる乾燥流体のストリームの温度は、さまざまな実施形態において、１００℃、９９℃、９８℃、９５℃、９０℃、８５℃、８０℃、７５℃、７０℃、６５℃、６０℃、５５℃、５０℃、４５℃、４０℃、３０℃、２５℃、２２℃、２０℃、１８℃、１６℃、１５℃、１４℃、１３℃、１２℃、１１℃及び１０℃のうちの少なくとも１つ未満とすることができ、こうした温度は、噴霧乾燥可能液体組成物における液体の凍結点より高い。
【００２７】
さまざまな実施形態において、噴霧乾燥チャンバ内に流し込まれる乾燥流体のストリームの温度は、下限端点が、０℃、１℃、２℃、３℃、４℃、５℃、６℃、７℃、８℃、９℃、１０℃、１１℃、１２℃、１３℃、１４℃、１５℃、１６℃、１８℃、２０℃、２２℃及び２５℃のうちの任意の１つであり、範囲の上限端点が、範囲の下限端点より高く、１０℃、１１℃、１２℃、１３℃、１４℃、１５℃、１６℃、１８℃、２０℃、２２℃、２５℃、３０℃、４０℃、４５℃、５０℃、５５℃、６０℃、６５℃、７０℃、７５℃、８０℃、８５℃、９０℃、９５℃、９８℃、９９℃又は１００℃のうちの任意の１つである、範囲であり得る。例えば、噴霧乾燥チャンバ内に流し込まれる乾燥流体のストリームの温度は、特定の応用では、１℃から９５℃、５℃から９０℃、１０℃から８０℃又は１５℃から６５℃の範囲であり得る。
【００２８】
本明細書においてさまざまに記載するような本開示のプロセスにおいて、噴霧乾燥チャンバ内に流し込まれる乾燥流体のストリームは、所定の応用に対して所定レベル以下である相対湿度を有することができる。さまざまな実施形態において、噴霧乾燥チャンバ内に流し込まれる乾燥流体のストリームは、３５％、３０％、２５％、２０％、１５％、１２％、１０％、８％、６％、５％、４％、３％、２．５％、２％、１．８％、１．６％、１．５％、１．４％、１．３％、１．２％、１．１％、１．０％、０．９％、０．８％、０．７％、０．６％、０．５％、０．４％、０．３％、０．２％、０．１％、０．０５％、０．０２％又は０．０１％を超えない相対湿度を有することができる。
【００２９】
さまざまな実施形態において、噴霧乾燥チャンバ内に流し込まれる乾燥流体のストリームの相対湿度は、下限端点が１０−４％、１０−３％、１０−２％、１０−１％、１％、１．５％又は２％のうちの任意の１つであり、上限端点が、下限端点より高く、３５％、３０％、２０％、１５％、１２％、１０％、８％、６％、５％、４％、３％、２．５％、２％、１．８％、１．６％、１．５％、１．４％、１．３％、１．２％、１．１％、１．０％、０．９％、０．８％、０．７％、０．６％、０．５％、０．４％、０．３％、０．２％、０．１％、０．０５％、０．０２％、０．０１％又は０．０５％のうちの任意の１つである、範囲であり得る。例えば、霧乾燥チャンバ内に流し込まれる乾燥流体のストリームは、１０−４％から３５％、１０−３％から１８％、０．００５から１７％、０．０１％から１５％、０．０１から５％、０．１から５％又は０．００１％から２％の範囲の相対湿度を有する。
【００３０】
本開示のプロセスの実施における乾燥流体は、任意の好適なタイプとすることができ、例えば、空気、酸素、酸素富化空気、窒素、ヘリウム、希ガス、二酸化炭素、一酸化炭素及び上述したもののうちの２種以上の組合せからなる群から選択されたガスを含み得る。例えば、乾燥流体は、酸素、酸素富化空気、窒素、ヘリウム、アルゴン、ネオン、二酸化炭素、一酸化炭素、又は単成分流体を含む他の流体種とともに、流体混合物を含むことができる。乾燥流体は、さまざまな応用では、気体又は蒸気の形態で存在することができ、流体は、噴霧された霧状液滴から乾燥流体に溶媒又は他の望ましくは揮発性の材料が移動するために適切な物質移動駆動力を提供するように構成されるべきである。
【００３１】
噴霧乾燥可能液体組成物における液体も同様に任意の好適なタイプとすることができ、例えば、水、無機溶媒、有機溶媒、及びそれらの組合せからなるからなる群から選択された液体を含むことができる。さまざまな実施形態において、例えば、アセトン、クロロフォルム、メタノール、塩化メチレン、エタノール、ジメチルホルムアミド（ＤＭＦ）、ジメチルスルホキシド（ＤＭＳ）、グリセリン、酢酸エチル、酢酸ｎ−ブチル、及び上述したもののうちの１種又は複数種の水との混合物等、有機溶媒を採用することができる。こうした有機溶媒は、例えば、タンパク質系物質を含む噴霧乾燥可能組成物の噴霧乾燥で使用することができる。具体的な実施形態では、水、アルコール及び水−アルコール溶液からなる群から選択された溶媒を有利に採用することができる。
【００３２】
本明細書においてさまざまに記載する噴霧乾燥プロセスの実施における噴霧乾燥可能液体組成物は、噴霧乾燥させている特定の材料を含む噴霧乾燥操作に対して適切な任意の好適な物理化学的特性を有することができる。例として、噴霧乾燥可能液体組成物は、５０ｍＰａ−ｓから２８，０００ｍＰａ−ｓの範囲の粘度を有することができる。
【００３３】
さまざまな実施形態において、噴霧乾燥可能液体組成物は、下限が、３２５、３４０、３５０、３７５、４００、４５０、５００、５５０、６００、６５０、７００、７５０、８００、８５０、９００、９５０及び１０００ｍＰａ−ｓのうちの任意の１つであり、上限が、下限より高く、４００、４５０、５００、５５０、６００、６５０、７００、７５０、８００、８５０、９００、９５０、１０００、２０００、３０００、４０００、５０００、６０００、７０００、８０００、９０００、１０，０００、１１，０００、１２，０００、１３，０００、１４，０００、１５，０００、１６，０００、１７，０００、１８，０００、１９，０００及び２０，０００ｍＰａ−ｓのうちの任意の１つである範囲である、粘度を有することができる。さらなる具体的な例として、噴霧乾燥可能液体組成物は、５０から５０００ｍＰａ−ｓの範囲の粘度を有することができる。具体的な応用及び実施態様において、適切なタイプの粘度計及びレオメータ等、任意の好適な粘度決定方法及び粘度測定機器を用いて、粘度値を決定することができる。
【００３４】
したがって、本開示の噴霧乾燥プロセスにおける噴霧乾燥可能液体組成物の粘度は、採用する具体的な製品材料、液体及び噴霧乾燥装置とともに、噴霧乾燥可能液体組成物における固体濃度に応じて広く変更することを理解されたい。任意の好適な固体濃度の特徴を有する噴霧乾燥可能液体組成物を採用することができる。さまざまな実施形態において、噴霧乾燥可能液体組成物は、噴霧乾燥可能液体組成物の総重量に基づき、４５重量％から７５重量％の範囲の固体濃度を有することができる。他の実施形態では、噴霧乾燥可能液体組成物は、噴霧乾燥可能液体組成物の総重量に基づき、５０重量％から７０重量％の範囲の固体濃度を有することができる。
【００３５】
無担体噴霧乾燥可能液体組成物を含む噴霧乾燥操作を促進するために、さまざまな実施態様において、噴霧乾燥チャンバ内の噴霧乾燥可能液体組成物の非常に効率的な乾燥を達成するように、噴霧乾燥チャンバ内の複数の場所において局所乱流を発生させることが有利であり得る。こうした局所乱流は、噴霧乾燥チャンバ内に二次乾燥流体を、例えば、噴霧乾燥チャンバの壁の対応する開口部に位置決めされた注入ジェットから注入することにより、及び／又は噴霧乾燥チャンバ内の内部で発生させて、噴霧乾燥可能液体組成物の噴霧された霧状液滴からの液体の気化に関連して物質移動を促進し拡散率を向上させることができる。
【００３６】
噴霧乾燥操作を促進するために有用であり得る別のオプションとして、本明細書に記載するさまざまな実施形態における噴霧乾燥プロセスは、噴霧乾燥可能液体組成物の電気流体力学的噴霧乾燥のために、噴霧乾燥可能液体組成物と液体粒子の霧状噴霧とのうちの少なくとも一方に電気流体力学的電荷（通常、静電荷と誤った名称で称され、対応する噴霧乾燥は一般に静電噴霧乾燥と称される）を印加することをさらに含むことができる。こうした電気流体力学的噴霧操作は、電気流体力学的噴霧が採用される所定の応用に対して適切な任意の好適な電圧条件で実施することができる。さまざまな実施形態において、電気流体力学的電荷は、０．２５から８０ｋＶの範囲であり得るが、所定の応用において、噴霧乾燥させるべき材料により高い又はより低い電気流体力学的電荷を与えることができることが理解されよう。さまざまな実施形態において、噴霧乾燥させている粒子に与えられる電気流体力学的電荷は、０．５から７５ｋＶ若しくは５から６０ｋＶ若しくは１０から５０ｋＶの範囲、又は他の好適な範囲若しくは他の所定値であり得る。
【００３７】
本開示に従って行われる電気流体力学的噴霧乾燥の他の実施形態では、電圧源に作動的に結合された電気流体力学的ノズルを通して供給原料の液体組成物を噴霧することができ、電圧源は、例えば上述した又は他の電圧範囲のうちの任意のものの範囲にある高電圧と低電圧との間で、周期的に切り替えられる電圧を、ノズルに印加するように配置される。
【００３８】
噴霧乾燥可能組成物液滴の霧化後帯電は、ノズルを接地した状態で外部電極を使用するコロナ放電型噴霧器を用いて実施することができ、又は、噴霧乾燥可能組成物液滴の導電性の特徴が有利である場合は、こうした霧化後帯電は、霧状液滴の電子ビーム放射を用いて実施することができる。
【００３９】
したがって、噴霧乾燥可能液体組成物の電気流体力学的帯電は、こうした組成物の霧化の前、間又は後に実施することができる。本開示による電気流体力学的噴霧システム及び操作において、広く異なるタイプの電気流体力学的噴霧機器、例えば、噴霧乾燥可能液体組成物の電気流体力学的に帯電した噴霧を、噴霧乾燥容器の内部容積内にその中の乾燥流体と接触するように導入するように位置決めされた電気流体力学的噴霧装置を利用することができる。
【００４０】
噴霧乾燥システムへの供給原料を構成する噴霧乾燥可能液体組成物は、供給原料前駆体組成物を、適切な又は他の所望の特徴の噴霧乾燥可能液体組成物を提供するように処理することができる、上流処理操作の生成物であり得る。さまざまな実施形態において、上流処理操作は、供給原料前駆体組成物を、それが、液体において、供給原料前駆体組成物における製品材料の濃度より高い製品材料の濃度を有するように濃縮することができる。この目的で、任意の好適な濃縮方法及び装置を採用することができる。採用することができる好適な濃縮技法及び装置の例としては、正浸透、逆浸透、フレーム・プレート熱交換器、蒸発器、スピニングコーン、浸透気化、クロマトグラフィ、ろ過、ナノろ過、蒸留、結晶化、真空分離、吸収及び吸着、並びに上述したもののうちの２つ以上の好適な組合せが挙げられる。
【００４１】
それに応じて、本開示の無担体噴霧乾燥プロセスによって製造される噴霧乾燥粉末は、好適なタイプの下流処理プロセスにより、例えば、意図された用途又は使用分野に対して中間又は最終用途製品を製造するための、さらなる乾燥、性能特性（例えば、香味料噴霧乾燥粉末の場合、香味、風味又は芳香特性等）の発展、最終製品粉末混合物を形成するための他の粉末成分との混合、顆粒化、微粉化、又は他のサイジング若しくは形態学的処理、凍結乾燥、分散、混合、照射、及び／又は多種多様の他の下流処理操作のために、さらに処理することができる。
【００４２】
本開示の無担体噴霧乾燥プロセスにおいて噴霧乾燥チャンバから放出される流出乾燥流体は、対応して、さらに処置又は処理することができる。さまざまな実施形態では、噴霧乾燥チャンバから放出される流出乾燥流体は、そこから固体を除去して固体低減（solids-depleted）乾燥流体を生成するように処理され、この固体低減乾燥流体は、噴霧乾燥チャンバ内に流し込まれる乾燥流体のストリームにおける乾燥流体として再循環する。流出乾燥流体は、さらに又は別法として、噴霧乾燥システム及び操作の外部で他の用途に対して適切な特徴を有するものとするために、又は噴霧乾燥システムの周囲環境又は大気に流出して放出されるように、処置又は処理することができる。
【００４３】
さまざまな実施形態において、噴霧乾燥チャンバから放出される流出乾燥流体は、サイクロン分離機又は他の固体−流体分離機においてそこから固体を除去するように処理され、その後、再循環及び／又は最終的な放出のために所望の特徴の固体低減乾燥流体を生成するように、バグフィルタ又は他のフィルタアセンブリ若しくはろ材を通る流出乾燥流体の流れとなる。
【００４４】
固体低減乾燥流体を、噴霧乾燥チャンバを通って流れるように噴霧乾燥チャンバに再循環させる場合、その特性、例えば、温度及び／又は相対湿度特性を調整するように処理することができる。
【００４５】
無担体噴霧乾燥プロセスによって製造される噴霧乾燥粉末を、任意の好適な粉末特性になるように乾燥させることができる。例えば、さまざまな実施形態において、噴霧乾燥システムにおいて、噴霧乾燥チャンバから放出される噴霧乾燥粉末における液体の量が、噴霧乾燥粉末の総重量に基づいて、１０、９、８、７、６、５、４、３、２、１、０．５及び０．１ｗｔ．％の液体のうちの少なくとも１つより少ない、噴霧乾燥チャンバから放出される噴霧乾燥粉末を製造するように、噴霧乾燥プロセスを行うことができる。さまざまな実施形態において、噴霧乾燥粉末の総重量に基づいて、所定範囲の、例えば、５〜８ｗｔ．％、２〜３ｗｔ．％、４〜６ｗｔ．％、５〜１０ｗｔ．％の範囲の液体含量、又は他の何らかの範囲の若しくは他の何らかの所定最大液体含量値の条件での液体含量を有する、噴霧乾燥チャンバから放出される噴霧乾燥粉末を製造するように、噴霧乾燥プロセスを実施することができ、噴霧乾燥システムを操作することができる。本開示の実施において製造される噴霧乾燥粉末は、具体的な場合では、香味、風味、芳香、可溶性、耐凝集性、安定性、耐酸化性、耐劣化性、製品有効成分の完全性、処理可能性等の特性を含むことができる、その粉末特性及び性能特性に関して、著しくすぐれた特徴を有する。
【００４６】
本開示の噴霧乾燥システム及び噴霧乾燥プロセスにおいて、システム及びプロセスは、粉末の属性及び使用に対して所望の特徴の噴霧乾燥粉末を製造するように実施することができる。さまざまな実施形態において、こうしたシステム及びプロセスによって製造される噴霧乾燥粉末は、粉末における粒子の少なくとも７５％が、少なくとも８０μｍの粒径を有する、例えば、粉末における粒子の少なくとも８０％、８５％、８８％、９０％、９１％、９２％、９３％、９４％又は９５％が少なくとも８０μｍの粒径を有する、粒径分布を有することができる。噴霧乾燥粉末における（３．３μｍ未満の空気動力学的直径を有する粒子等の）微粒子の割合は、望ましく最小化され、噴霧乾燥粉末の総重量の５重量％未満、例えば、同じ総重量に基づいて４％、３重量％、２重量％、１重量％又は０．５重量％未満を構成することができる。本開示のシステム及びプロセスにおいて製造される噴霧乾燥粉末のメジアン粒径は、例えば、８０μｍから１２０μｍの範囲のメジアン粒径として、任意の好適なサイズであり得る。本開示のシステム及びプロセスによって製造される噴霧乾燥粉末の平均粒径もまた、８０μｍから１２０μｍの範囲の範囲であり得る。所定の実施形態における粉末は、２２から４０ｌｂ／ｆｔ３（０．３５から０．６４ｇ／ｃｍ３）の範囲からの範囲のバルク密度を有することができる。他の実施形態では、噴霧乾燥粉末のバルク密度は、２５から３８ｌｂ／ｆｔ３（０．４０から０．６１ｇ／ｃｍ３）の範囲であり得る。特定の実施形態では、噴霧乾燥粉末の粒子における粒子空隙率は、総粒子体積の１０％未満である。
【００４７】
本開示の噴霧乾燥粉末における粒子のメジアン粒径は、体積分布出力を提供するBeckman Coulter LS13 320粒径分析器を利用して測定することができ、噴霧乾燥粉末の約１ｇがサンプルチューブ内に装填され、機器の分析チャンバを通過し、レーザ回折データがFraunhofer法を介して解釈され、体積分布として決定され、そこから、粉末のメジアン粒径を、粒径分布の中央値（ｄ５０）として決定することができる。
【００４８】
先行する段落において記載したような特性を有する噴霧乾燥粉末を、本開示の噴霧乾燥システム及び噴霧乾燥プロセスにおいて、供給原料組成物の総重量に基づき、約４５重量％から７５重量％の範囲の固体濃度の噴霧乾燥可能組成物を利用して、製造することができる。概して、噴霧乾燥可能組成物における固体濃度は、本明細書の別の場所においてさまざまに記載しているように、噴霧乾燥可能液体組成物の総重量に基づき、８０重量％を超えない。
【００４９】
本開示の広範な実施において、噴霧乾燥チャンバ内に噴霧乾燥可能液体組成物の液体粒子の霧状噴霧を発生させるように、噴霧乾燥可能液体組成物の噴霧を霧化するために利用される装置は、任意の好適なタイプとすることができ、例えば、回転噴霧器、遠心噴霧器、ネブライザ、超音波噴霧器、ノズル、又は上述したもののうちの２つ以上の組合せを含むことができる。液体組成物は、液滴を形成するように解体される液膜又はひも形態で、噴霧乾燥容器の内部容積内に導入することができる。多種多様な機器及び技術が、液滴又は細分された液体粒子の形態で液体組成物の噴霧を形成するために利用することができる。典型的には、液滴サイズ及び分布は、所与の噴霧乾燥技法に対して極めて一定である可能性があり、様々な実施形態では、１０〜３００μｍの範囲、５０〜３００μｍの範囲又は他の好適な範囲であり得る。
【００５０】
別の態様では、本開示は、さまざまに上述した無担体噴霧乾燥プロセスを実施するように構成及び配置された噴霧乾燥システムに関する。
【００５１】
本明細書の図１において例示的な実施態様で噴霧乾燥システムを示す。
【００５２】
図示するように、噴霧乾燥システム５００は、供給原料前駆体組成物源５０２を含み、そこから、供給原料前駆体組成物が、供給ライン５０４内を供給原料組成物処理ユニット５０６に流され、供給原料組成物処理ユニット５０６では、前駆体組成物が、噴霧乾燥可能液体組成物をもたらすように処理される。こうした上流処理ユニットは、本明細書にて上述された任意の好適なタイプとすることができ、例えば濃縮ユニットを備えることができ、濃縮ユニットでは、噴霧乾燥させるべき製品材料が、供給原料前駆体組成物濃度から、ライン５０８においてユニットから放出される噴霧乾燥可能液体組成物におけるより高い製品材料濃度まで濃縮される。
【００５３】
無担体噴霧乾燥可能液体組成物は、液体組成物供給ライン５０８においてポンプ５１０によって供給原料組成物処理ユニット５０６から供給原料供給ライン５１２まで流され、供給原料供給ライン５１２から、噴霧乾燥可能液体組成物は、噴霧乾燥器容器５１８の噴霧乾燥器入口５１６内に流れ込み、その時点で、噴霧器５１４によって霧化されて、噴霧乾燥可能液体組成物の霧状噴霧５２０を発生させる。同時に、以下より十分に記載する調整済み乾燥流体は、調整済み乾燥流体供給ライン５７０内を噴霧乾燥器容器５１８の入口５１６まで流され、その結果、導入された調整済み乾燥流体は、無担体噴霧乾燥可能液体組成物の霧状噴霧と接触するように、噴霧乾燥器容器５１８の内部容積５２２を通って流れる。
【００５４】
調整済み乾燥流体又はその任意の部分は、いわゆる２流体霧化において、噴霧器５１４を通って流すことができ、又は、調整済み乾燥流体は、無担体噴霧乾燥可能液体組成物の導入及びその噴霧器５１４の通過に関連して、別個のストリームとして噴霧乾燥容器５１８の内部容積５２２内に流し込むことができる。
【００５５】
噴霧器５１４は、任意の好適なタイプとすることができ、噴霧器５１４としては、例えば、回転噴霧器、遠心噴霧器、ジェットノズル噴霧器、ネブライザ、超音波噴霧器等、及び上述したもののうちの２つ以上の組合せを挙げることができる。噴霧器は、濃縮供給原料組成物の電気流体力学噴霧乾燥を実施するように電気流体力学的とすることができ、又は、特徴として非電気流体力学的とすることができる。
【００５６】
採用する所定の噴霧器タイプ及び霧化モードに関わらず、濃縮された供給原料組成物の霧状噴霧５２０は、噴霧乾燥容器５１８の内部容積５２２に導入され、無担体噴霧乾燥可能液体組成物の霧状液滴は、内部容積を通って噴霧乾燥器出口５２４まで進む間、調整済み乾燥流体と接触して、霧状液滴を乾燥させ、噴霧乾燥させた乾燥粉末製品をもたらす。
【００５７】
噴霧乾燥容器５１８に対して、任意選択的に、補助乾燥流体周囲供給ライン５２６を設けることができ、そこでは、それぞれの概略的な供給ライン５２６の矢印は、噴霧乾燥容器５１８の内部容積５２２内に補助乾燥流体を導入するように配置されたインジェクタジェットを示す。したがって、供給ライン５２６及びそのインジェクタジェットは、インジェクタジェットが内部に配置されるように、噴霧乾燥容器５１８内の対応する壁開口部を貫通することができ、又は、インジェクタジェットは、噴霧乾燥容器の壁開口部と連通して、そこを通して補助乾燥流体を内部容積５２２内に注入するように配置することができる。補助乾燥流体は、噴霧乾燥容器の内部容積内への導入点において又はその近くで局所乱流５３０を発生させるように十分な圧力及び流量で、噴霧乾燥容器の内部容積内に導入することができる。
【００５８】
補助乾燥流体周囲供給ライン５２６は、補助乾燥流体マニホールド５２８に結合されているように示されており、補助乾燥流体マニホールド５２８を通して、補助乾燥流体はそれぞれの供給ライン５２６まで流される。補助乾燥流体は、連続的に又は間欠的に、噴霧乾燥容器の内部容積内に導入することができる。補助乾燥流体は、バーストで、例えば時系列的に導入することができ、インジェクタジェットは、図１に示すＣＰＵ５９０等、中央処理装置のモニタリング及び制御の下でプログラム可能に配置することができる。
【００５９】
こうした乱流の局所誘発は、濃縮供給原料組成物の霧状液滴から噴霧乾燥容器内に存在する乾燥流体への液体の拡散率及び物質移動を促進するために非常に有効である。
【００６０】
容器の内部容積内の濃縮供給原料組成物の霧状液滴の乾燥のさらなる促進として、噴霧乾燥容器５１８に、図示するような補助乾燥流体中心供給ライン５３２を備えることができる。補助乾燥流体中心供給ライン５３２には、一連の長手方向に間隔を空けて配置された補助乾燥流体中心供給ラインインジェクタジェット５３４が設けられ、そこでは、補助乾燥流体が注入された乱流領域５３６を発生させるように、十分な圧力及び流量条件下で、補助乾燥流体を注入することができる。
【００６１】
供給ライン５２６及び関連するインジェクタジェットを通して噴霧乾燥容器の内部容積内に導入される補助乾燥流体に関して上述したように、噴霧乾燥容器内の内部容積５２２の中心部分において補助乾燥流体が注入された乱流領域５３６を提供するように、補助乾燥流体をインジェクタジェット５３４から連続的に又は間欠的に噴霧乾燥容器の内部容積内に導入することができる。周囲供給ライン及び関連するインジェクタジェットに関連して考察したように、補助乾燥流体は、バーストで、例えば時系列的に、中心供給ラインインジェクタジェット５３４を通して導入することができ、図１に示すＣＰＵ５９０等の中央処理装置のモニタリング及び制御の下で、インジェクタジェットをプログラム可能に配置することができる。
【００６２】
図１に示すような周囲ジェット及び中心ジェットの組合せを用いて、噴霧乾燥器容器内の内部容積の中心領域とともに外壁領域に局所乱流を提供することができ、そうした組合せは、著しく効率的な噴霧乾燥プロセスをもたらし、そこでは、内部容積内のデッドゾーン又は停滞領域等の異常な流れ挙動が最小限になる。対応して、非常に好都合な流体力学物質移動環境が提供され、こうした局所乱流発生能力の結果としての噴霧乾燥器容器は、サイズ及び関連する設置面積を実質的に低減させることができ、それにより、より小さいポンプ、圧縮器、ブロワ及び他の関連する補助機器を採用することができ、結果として、濃縮及び噴霧乾燥システムの資本設備及び運転コスト特性が改善される。
【００６３】
噴霧乾燥器容器の内部容積内の乾燥流体との濃縮供給原料組成物の霧状液滴の接触によって生成される、噴霧乾燥させた粉末及び流出乾燥ガスは、噴霧乾燥器出口５２４の噴霧乾燥器容器から放出され、噴霧乾燥器流出ライン５３８においてサイクロン５４０まで流れる。サイクロン機器の代わりに、適切な特徴の他の任意の好適な固体／気体分離ユニットを採用することができる。サイクロン５４０は、乾燥流体から乾燥させた固体を分離し、乾燥させた固体は、乾燥固体放出ライン５４２内を乾燥固体収集容器５４４まで流れる。固体成分において消耗された乾燥流体は、乾燥流体放出ライン５４６においてサイクロンまで流れ、微粒子フィルタ５４８を通って凝縮器５５０まで流れる。凝縮器５５０において、乾燥流体は冷却され、その結果、その中の凝縮性気体が凝縮し、凝縮液は凝縮液放出ライン５５２において凝縮器から放出される。
【００６４】
そして、結果としての凝縮液がなくなった乾燥流体は、内部にポンプ５５６を含む乾燥流体再循環ライン５５４において、乾燥流体補給供給ライン６１０に導入された任意の必要な補給乾燥流体とともに、乾燥流体調整アセンブリ５６８まで流れる。乾燥流体調整アセンブリは、調整済み乾燥流体供給ライン５７０において噴霧乾燥器容器５１８まで流れるように、再循環乾燥流体及び任意の追加された補給乾燥流体を調整する。乾燥流体調整アセンブリは、温度及び相対湿度の適切な所望の条件で再循環させるように乾燥流体を提供する除湿器及び／又は熱交換（加熱器／冷却器）機器を備えることができる。
【００６５】
したがって、任意の必要な補給乾燥流体を含む乾燥流体は、適切な供給源から、乾燥流体調整アセンブリ５６８に提供することができ、又は、システムにおける他の適切な場所において噴霧乾燥システムに提供することができ、所望の温度、圧力、流量、組成及び相対湿度で噴霧乾燥操作を行うための必要に応じて、関連する機器又は装置によって任意の適切な前調整操作が実施される。したがって、例えば、補給乾燥流体は、タンク、貯蔵容器又は他の供給源（例えば、こうした乾燥流体として空気の場合、周囲雰囲気）から調整アセンブリ５６８に提供することができる。
【００６６】
システムにおける補助乾燥流体源として、乾燥流体再循環ライン５５４からの再循環する乾燥流体の一部は、流量制御弁５７４を含む補助乾燥流体供給ライン５７２において補助乾燥流体調整アセンブリ５７６まで分流させることができる。補助乾燥流体調整アセンブリ５７６は、任意の好適な方法で構成し配置することができ、乾燥流体調整アセンブリ５６８の構成及び配置と同じか又は同様の特徴とすることができる。したがって、補助乾燥流体調整アセンブリ５７６は、システムにおいて補助乾燥流体を使用するために適切な条件にあるように、補助乾燥流体を調整する。
【００６７】
上述したように、調整済み補助乾燥流体は、補助乾燥流体調整アセンブリ５７６から補助乾燥流体供給ライン５７８を通って流れ、補助乾燥流体供給ライン５７８から、ポンプ５８２を含む補助乾燥流体供給ライン５８０においてマニホールド５２８まで流れ、調整済み補助乾燥流体の残りは、補助乾燥流体供給ライン５７８においてポンプ５８４まで流れ、ポンプ５８４から、噴霧乾燥器容器の内部容積の中心領域に導入されるように、補助乾燥流体供給ライン５８６において補助乾燥流体中心供給ライン５３２まで流される。
【００６８】
図１に示すシステムは、別法として、例えば、主乾燥流体及び補助乾燥流体がそれらの関連する流体特性に関して実質的に同じ特徴である場合、別個の補助乾燥流体調整アセンブリ５７６を設けることなく、乾燥流体調整アセンブリ５６８が乾燥流体の主流及び補助乾燥流体の両方を処理するように、構成し配置することができる。主乾燥流体及び補助乾燥流体が異なる気体であるか若しくは異なる気体を含み、又はそれらの関連する流体特性が他の意味で異なる場合、主乾燥流体及び補助乾燥流体の各々に対する別個の流れ循環ループを設けることができることも理解されよう。
【００６９】
図１のシステムは、システムにおいてモニタリング及び／又は制御動作を行うように配置された中央処理装置（ＣＰＵ）５９０を含むものとして示すが、制御態様で採用される場合、設定値又は他の所望の動作条件での動作を維持するように、機器及び／又は流体条件の調整のための制御信号を生成するように採用することができる。上述したように、ＣＰＵは、調整アセンブリ５６８及び５７６に、除湿器、熱コントローラ、熱交換機器等、その構成要素を制御するように、作動的に接続することができる。
【００７０】
図１では、ＣＰＵ５９０は、モニタリング及び／又は制御信号伝送ライン５９２、５９４、５９６、５９８、６００、６０２及び６０４をモニタリングにより、ポンプ５１０、乾燥流体調整アセンブリ５６８、補助乾燥流体調整アセンブリ５７６、流量制御弁５７４、ポンプ５８２、ポンプ５５６及びポンプ５８４にそれぞれ作動的に結合されているものとして例示的に示す。
【００７１】
図１に示すＣＰＵの具体的な配置は、例示的な特徴であり、ＣＰＵは、任意の好適な動作構成要素、要素、特徴、ユニット、条件及びパラメータをモニタリングするように、及び／又は任意の好適な動作構成要素、要素、特徴、ユニット、条件、パラメータ及び変数を制御するように、濃縮ユニット５０６を含むシステム全体の任意の構成要素、要素、特徴及びユニットに関して、他の方法で配置することができることが理解されよう。こうした目的で、モニタリング能力に関して、システムは、適切なセンサ、検出器、構成要素、要素、特徴及びユニットを備えることができる。信号伝送ラインは、双方向信号伝送ラインとすることができ、又は、モニタリング信号伝送ライン及び別個の制御信号伝送ラインを含むケーブル配線を構成することができる。
【００７２】
本開示の噴霧乾燥システムは、接触気体、補助接触気体、乾燥流体及び補助乾燥流体、又はそれらのうちの任意の２つ以上が、実質的に同じ組成、温度及び／又は相対湿度を有することができ、それにより、対応してシステム要件が簡略化した資本設備及び運転コスト効率を達成することができる配置を提供することが理解されよう。したがって、例えば、接触気体、補助接触気体、乾燥流体及び補助乾燥流体のすべてが、共通気体源からの空気、窒素、アルゴン又は他の気体とすることができ、こうした共通の気体は、共通の熱調整及び除湿機器を採用することができるように、実質的に同じ温度及び相対湿度で提供することができる。
【００７３】
本開示について、本明細書では、具体的な態様、特徴及び例示的な実施形態に関して示したが、本開示の有用性はそのように限定されず、本明細書の記載に基づき、本開示の分野における当業者に示唆されるように、多数の他の変形、変更及び代替実施形態まで広がり且つそれらを包含することが理解されよう。対応して、以下の請求項に係る本発明は、その趣旨及び範囲内に、こうした変形、変更及び代替実施形態のすべてを含むものとして、広く解釈されるように意図されている。
【図１】
2021522465.tif 000004
【国際調査報告】
2021522465.tif 000005